(57)【要約】【課題】  縁部をパラペットの天端部に取り付けた既存の防水シートに、新規の防水シートを重ねて取り付けるための防水シート取付補強部品、防水シート改修構造及び防水シート改修方法を提供する。【解決手段】  縁部をパラペット３０の天端部Ｂに取り付けた既存の防水シート（第１防水シート５２，第２防水シート５３）に、新規の防水シート６７を重ねて取り付けるための防水シート取付補強部品６５であって、前記既存の防止シート（第１防水シート５２，第２防水シート５３）の縁部と、前記新規の防水シート６７と、の間に略水平に配置される水平部６５ａと、前記水平部６５ａから前記パラペット３０の外側であって、斜め下方に向けて延在する傾斜部６５ｂと、を備える。【選択図】図４
2019173458.tif 000002
【特許請求の範囲】
【請求項１】
縁部をパラペットの天端部に取り付けた既存の防水シートに、新規の防水シートを重ねて取り付けるための防水シート取付補強部品であって、
前記既存の防止シートの縁部と、前記新規の防水シートと、の間に略水平に配置される水平部と、
前記水平部から前記パラペットの外側であって、斜め下方に向けて延在する傾斜部と、を備える
ことを特徴とする防水シート取付補強部品。
【請求項２】
前記傾斜部の先端に、前記傾斜部の裏面側に折り曲げられた折曲部を有する
ことを特徴とする、請求項１に記載の防水シート取付補強部品。
【請求項３】
前記折曲部は、貫通孔を有する
ことを特徴とする、請求項２に記載の防水シート取付補強部品。
【請求項４】
縁部をパラペットの天端部に取り付けた既存の防水シートに、新規の防水シートを重ねて取り付ける防水シート改修構造であって、
前記パラペットの天端部と、請求項１〜３の何れか一項に記載の防水シート取付補強部品と、の隙間を埋める防水材を設けた
ことを特徴とする、防水シート改修構造。
【請求項５】
前記既存の防水シートと、前記防水シート取付補強部品との間に、前記既存の防水シートの不陸を調整する不陸調整部材を設けた
ことを特徴とする、請求項４に記載の防水シート改修構造。
【請求項６】
前記防水シート取付補強部品は、締結部品によって、前記既存の防水シートを押さえつけるように取り付けられる
ことを特徴とする、請求項４または５に記載の防水シート改修構造。
【請求項７】
縁部をパラペットの天端部に取り付けた既存の防水シートに、新規の防水シートを重ねて取り付ける防水シート改修方法であって、
前記既存の防水シートの縁部の上に、請求項１〜３の何れか一項に記載の防水シート取付補強部品を取り付ける防水シート取付補強部品取付工程と、
前記防水シート取付補強部品の上に、前記新規の防水シートの縁部を取り付ける新規防水シート取付工程と、を含む
ことを特徴とする、防水シート改修方法。
【請求項８】
縁部をパラペットの天端部に取り付けた既存の防水シートに、新規の防水シートを重ねて取り付ける防水シート改修方法であって、
前記既存の防水シートの縁部の上に、前記既存の防水シートの不陸を調整する不陸調整部材を取り付ける不陸調整工程と、
前記不陸調整部材の上に、請求項１〜３の何れか一項に記載の防水シート取付補強部品を取り付ける防水シート取付補強部品取付工程と、
前記防水シート取付補強部品の上に、前記新規の防水シートの縁部を取り付ける新規防水シート取付工程と、を含む
ことを特徴とする、防水シート改修方法。
【発明の詳細な説明】
【技術分野】
【０００１】
本発明は、縁部をパラペットの天端部に取り付けた既存の防水シートに、新規の防水シートを重ねて取り付けるための防水シート取付補強部品、防水シート改修構造及び防水シート改修方法に関するものである。
【背景技術】
【０００２】
従来、建物の屋上の防水シートの改修を行う場合、既存の防水シートの上に、新規の防水シートを施工することが知られている（例えば、特許文献１参照）。
【０００３】
特許文献１には、上部をパラペットのあご部の下面に当接させ、下部を新規の防水シートと既存の防水層とを挟持してパラペットの内壁面に取り付ける長尺の押さえ金具が開示されている。
【先行技術文献】
【特許文献】
【０００４】
【特許文献１】特開２０１７−６６８５９号公報
【発明の概要】
【発明が解決しようとする課題】
【０００５】
しかしながら、特許文献１には、縁部をパラペットの天端部に取り付けた既存の防水シートに、新規の防水シートを重ねて取り付けるための防水シート取付補強部品が開示されていない。
【０００６】
そこで、本発明は、縁部をパラペットの天端部に取り付けた既存の防水シートに、新規の防水シートを重ねて取り付けるための防水シート取付補強部品、防水シート改修構造及び防水シート改修方法を提供することを目的とする。
【課題を解決するための手段】
【０００７】
前記目的を達成するために、本発明の防水シート取付補強部品は、縁部をパラペットの天端部に取り付けた既存の防水シートに、新規の防水シートを重ねて取り付けるための防水シート取付補強部品であって、前記既存の防止シートの縁部と、前記新規の防水シートと、の間に略水平に配置される水平部と、前記水平部から前記パラペットの外側であって、斜め下方に向けて延在する傾斜部と、を備えることを特徴とする。
【０００８】
ここで、本発明の防水シート取付補強部品では、前記傾斜部の先端に、前記傾斜部の裏面側に折り曲げられた折曲部を有してもよい。また、本発明の防水シート取付補強部品では、前記折曲部は、貫通孔を有してもよい。
【０００９】
また、本発明の防水シート改修構造では、縁部をパラペットの天端部に取り付けた既存の防水シートに、新規の防水シートを重ねて取り付ける防水シート改修構造であって、前記パラペットの天端部と、前記防水シート取付補強部品と、の隙間を埋める防水材を設けてもよい。
【００１０】
また、本発明の防水シート改修構造では、前記既存の防水シートと、前記防水シート取付補強部品との間に、前記既存の防水シートの不陸を調整する不陸調整部材を設けてもよい。
【００１１】
また、本発明の防水シート改修構造では、前記防水シート取付補強部品は、締結部品によって、前記既存の防水シートを押さえつけるように取り付けられてもよい。
【００１２】
また、本発明の防水シート改修方法では、縁部をパラペットの天端部に取り付けた既存の防水シートに、新規の防水シートを重ねて取り付ける防水シート改修方法であって、前記既存の防水シートの縁部の上に、前記防水シート取付補強部品を取り付ける防水シート取付補強部品取付工程と、前記防水シート取付補強部品の上に、前記新規の防水シートの縁部を取り付ける新規防水シート取付工程と、を含んでもよい。
【００１３】
さらに、本発明の防水シート改修方法では、縁部をパラペットの天端部に取り付けた既存の防水シートに、新規の防水シートを重ねて取り付ける防水シート改修方法であって、前記既存の防水シートの縁部の上に、前記既存の防水シートの不陸を調整する不陸調整部材を取り付ける不陸調整工程と、前記不陸調整部材の上に、前記防水シート取付補強部品を取り付ける防水シート取付補強部品取付工程と、前記防水シート取付補強部品の上に、前記新規の防水シートの縁部を取り付ける新規防水シート取付工程と、を含んでもよい。
【発明の効果】
【００１４】
このように構成された本発明の防水シート取付補強部品では、水平部を有することで、防水シート取付補強部品を既存の防止シートに取り付けし易くなると共に、新規の防水シートを防水シート取付補強部品に取り付けし易くなるので、縁部をパラペットの天端部に取り付けた既存の防水シートに、新規の防水シートを、容易に重ねて取り付けることができる。また、傾斜部を有することで、パラペットの天端部の縁部を覆い隠すことができるので、見切縁が不要となり、そのうえ、防水シート取付補強部品を意匠部品として機能させることができる。また、傾斜部を有することで、建築基準法で定められている斜線制限への影響を最小限に抑えることができる。
【００１５】
前記傾斜部の先端に、前記傾斜部の裏面側に折り曲げられた折曲部を有することで、
パラペットの天端部の縁部をさらに覆い隠すことができるので、見切縁が不要となり、そのうえ、防水シート取付補強部品をよりよい意匠部品として機能させることができる。
【００１６】
前記折曲部は、貫通孔を有することで、折曲部に溜まった水を、排出することができるので、メンテナンスをしなくても錆の発生などを防ぐことができる。
【００１７】
前記パラペットの天端部と、前記防水シート取付補強部品と、の隙間を埋める防水材を設けることで、パラペットと防水シート取付補強部品との間から水が浸入することを防ぐことができるので、優れた防水性の防水シート改修構造とすることができる。また、劣化した既存の防水層を保護することができる。
【００１８】
前記既存の防水シートと、前記防水シート取付補強部品との間に、前記既存の防水シートの不陸を調整する不陸調整部材を設けることで、既存の防水シートの不陸部を平坦にすることができるので、防水シート取付補強部品と、既存の防水シートとの隙間を無くし、防水性を向上させることができる。
【００１９】
前記防水シート取付補強部品は、締結部品によって、前記既存の防水シートを押さえつけるように取り付けられることで、既存の防水シートの端部がめくれないようにすることができるので、耐久性のある防水シート改修構造とすることができる。
【００２０】
前記既存の防水シートの縁部の上に、前記防水シート取付補強部品を取り付ける防水シート取付補強部品取付工程と、前記防水シート取付補強部品の上に、前記新規の防水シートの縁部を取り付ける新規防水シート取付工程と、を含むことで、簡易な方法で、縁部をパラペットの天端部に取り付けた既存の防水シートに、新規の防水シートを重ねて取り付けることができる。
【００２１】
前記既存の防水シートの縁部の上に、前記既存の防水シートの不陸を調整する不陸調整部材を取り付ける不陸調整工程と、前記不陸調整部材の上に、前記防水シート取付補強部品を取り付ける防水シート取付補強部品取付工程と、前記防水シート取付補強部品の上に、前記新規の防水シートの縁部を取り付ける新規防水シート取付工程と、を含むことで、簡易な方法で、縁部をパラペットの天端部に取り付けた既存の防水シートに、新規の防水シートを重ねて取り付けることができる。また、既存部材を撤去せずに再利用するため、現場での廃材発生を抑えることができる。
【図面の簡単な説明】
【００２２】
【図１】実施例１のユニット建物の構成を示す構成図である。
【図２】実施例１のユニット建物の屋根の構成を示す断面図である。
【図３】実施例１の既存の防水層の構成を示す断面図である。
【図４】実施例１の新規の防水層の構成を示す断面図である。
【図５】実施例１の防水シート取付補強部品の構成を示す斜視図である。
【図６】実施例１の新規の防水層の施工方法を説明する説明図である。
【図７】実施例２の既存の防水層の構成を示す断面図である。
【図８】実施例２の新規の防水層の構成を示す断面図である。
【図９】実施例２の新規の防水層の施工方法を説明する説明図である。
【図１０】実施例２の新規の防水層の施工方法を説明する説明図である。
【図１１】別の実施例の既存の防水層の構成を示す断面図である。
【発明を実施するための形態】
【００２３】
以下、本発明による防水シート取付補強部品、防水シート改修構造及び防水シート改修方法を実現する実施形態を、図面に示す実施例１及び実施例２に基づいて説明する。
【実施例１】
【００２４】
実施例１の防水シート取付補強部品、防水シート改修構造及び防水シート改修方法は、複数の建物ユニットを隣接させて構築されるユニット建物に適用される。
【００２５】
［ユニット建物の構成］
図１は、実施例１のユニット建物の構成を示す構成図である。図２は、実施例１のユニット建物の屋根の構成を示す構成図である。以下、図１及び図２に基づいて、実施例１のユニット建物の構成を説明する。
【００２６】
ユニット建物１は、基礎２の上に下階の建物ユニット３が複数設置され、下階の建物ユニット３の上に上階の建物ユニット４が複数設置され、上階の建物ユニット４の上に屋根１０が設置される。屋根１０の周縁部には、パラペット３０が設けられる。
【００２７】
建物ユニット３，４は、隅角部に配置される角形鋼管から成る柱と、柱の下端部間を連結した溝形鋼から成る床大梁と、柱の上端部間を連結した溝形鋼から成る天井大梁と、からなる骨組構造体である。
【００２８】
図２に示すように、対向する天井大梁１１間に平行に掛け渡された複数の屋根小梁１２の上に、軽量気泡コンクリート板１３が設置される。屋根小梁１２の端部には、取付金具１４が設けられており、取付金具１４がスペーサ１５を介して、天井大梁１１にボルトで固定される。軽量気泡コンクリート板１３の端部には、補強金物１７が設けられており、補強金物１７がスペーサ１５にボルトで固定される。軽量気泡コンクリート板１３と補強金物１７の上面は、屋根１０の平坦部Ａを構成する。軽量気泡コンクリート板１３と補強金物１７の上面には、既存の防水層５０が設けられる。
【００２９】
天井大梁１１には、天井根太１８が設けられ、天井根太１８の下側に、石膏ボード１９が固定される。天井大梁１１と床大梁との間には、複数の間柱２０が設けられる。間柱２０の外側には、外壁パネル２１が取り付けられる。間柱２０の内側には、石膏ボード２２が取り付けられる。
【００３０】
天井大梁１１には、取付金具２３がボルトで固定される。取付金具２３の先端には、アーム部材２４を介して、化粧板２５が取り付けられてパラペット３０を形成する。化粧板２５の上面２５ａは、パラペット３０の天端部Ｂとして構成される。化粧板２５の上面２５ａには、既存の防水層５０が設けられる。既存の防水層５０は、パラペット３０の天端部Ｂから、パラペット３０の側溝部Ｃを経て、屋根１０の平坦部Ａに接続される。取付金具２３の下方には、軒天井２６が設けられる。
【００３１】
［既存の防水層の構成］
図３は、実施例１の既存の防水層５０の構成を示す構成図である。以下、図３に基づいて、実施例１の既存の防水層５０の構成を説明する。
【００３２】
既存の防水層５０の縁部は、パラペット３０の天端部Ｂに設けられる。既存の防水層５０の縁部は、化粧板２５の上面２５ａのユニット建物１の外側の端部より内側に設置される。
【００３３】
既存の防水層５０は、塩化ビニル鋼板５１の上面に、既存の防水シートとしての第１防水シート５２と第２防水シート５３とが積層され、塩化ビニル鋼板５１の下面に、粘着テープ５５が貼り付けられて形成される。
【００３４】
第１防水シート５２と第２防水シート５３は、例えば塩化ビニルシートによって形成される。粘着テープ５５は、例えばブチルテープを使用することができる。既存の防水層５０は、化粧板２５の上面２５ａに設置された状態でリベットやビスなどの締結部品によって、化粧板２５を介して、アーム部材２４に固定される。
【００３５】
［新規の防水層の構成］
図４は、実施例１の新規の防水層６０の構成を示す構成図である。以下、図４に基づいて、実施例１の新規の防水層６０の構成を説明する。
【００３６】
新規の防水層６０は、図４に示すように、既存の防水層５０の上に重ねて取り付けられる。新規の防水層６０は、既存の防水層５０の端部に設けられるコーキング剤６１と、既存の防水層５０の上面に貼り付けられる粘着テープ６２と、粘着テープ６２の上に設置される防水シート取付補強部品６５と、粘着テープ６２と防水シート取付補強部品６５との隙間を埋める防水材６３と、防水シート取付補強部品６５をパラペット３０に固定する締結部品６６と、防水シート取付補強部品６５の上面に取り付けられる新規の防水シート６７と、で構成される。
【００３７】
コーキング剤６１は、既存の防水層５０の端部に充填される。粘着テープ６２は、例えばブチルテープを使用することができる。粘着テープ６２は、化粧板２５の上面２５ａと、コーキング剤６１と、既存の防水層５０の上面と、を覆うように貼り付けられる。
【００３８】
防水材６３は、例えばエプトシーラ（登録商標）とすることができる。防水材６３は、
断面矩形状の長尺材であって、粘着テープ６２と防水シート取付補強部品６５との隙間を埋める。
【００３９】
締結部品６６は、例えばドリルビスを使用することができる。締結部品６６は、所定の長さを有し、防水シート取付補強部品６５を、既存の防水層５０と化粧板２５を介して、アーム部材２４に取り付ける。これにより、防水シート取付補強部品６５は、既存の防水シートとしての第１防水シート５２と第２防水シート５３を押さえつけるように取り付けられる。
【００４０】
新規の防水シート６７は、例えば塩化ビニルシートを使用することができる。新規の防水シート６７は、溶着によって、防水シート取付補強部品６５に取り付けられる。すなわち、新規の防水シート６７は、既存の防水シートとしての第１防水シート５２と第２防水シート５３に重ねて取り付けられる。
【００４１】
［防水シート取付補強部品の構成］
図５は、実施例１の防水シート取付補強部品６５の構成を示す構成図である。以下、図５に基づいて、実施例１の防水シート取付補強部品６５の構成を説明する。
【００４２】
防水シート取付補強部品６５は、塩化ビニル鋼板で形成される。防水シート取付補強部品６５は、パラペット３０の天端部Ｂの全周に設置されるように、複数設けられる。防水シート取付補強部品６５は、図５に示すように、略水平に形成される水平部６５ａと、水平部６５ａの幅方向の一方の端部から傾斜して延在する傾斜部６５ｂと、傾斜部６５ｂの先端から、傾斜部６５ｂの裏側（下側）に折り曲げて形成される折曲部６５ｃと、折曲部６５ｃの底に形成される貫通孔６５ｄと、を備える。
【００４３】
水平部６５ａは、化粧板２５の上面２５ａと略同じ幅を有して帯状に形成される。水平部６５ａは、既存の第２防水シート５３と、新規の防水シート６７との間に配置される。傾斜部６５ｂは、パラペット３０の外側であって、斜め下方に向けて延在する。傾斜部６５ｂは、化粧板２５の側面２５ｂと略平行に延在する。折曲部６５ｃは、傾斜部６５ｂの下側に折り曲げられて、Ｕ字状を形成する。貫通孔６５ｄは、Ｕ字状に形成された折曲部６５ｃの底に複数形成される。
【００４４】
防水シート取付補強部品６５には、防水材６３が取り付けられる。防水材６３は、例えばエプトシーラ（登録商標）などのゴム系発泡材とすることができる。防水材６３は、矩形状に形成され、防水シート取付補強部品６５の水平部６５ａと、傾斜部６５ｂとで形成される角部に合わせて配置される。
【００４５】
［新規の防水層の施工方法］
図６は、実施例１の新規の防水層６０の施工方法を説明する説明図である。以下、図６に基づいて、実施例１の新規の防水層６０の施工方法を説明する。
【００４６】
（既存の防水層の防水処理工程）
既存の防水層５０の防水処理工程では、図６に示すように、既存の防水層５０の端部にコーキング剤６１を充填する。次いで、粘着テープ６２を、化粧板２５の上面２５ａと、コーキング剤６１と、既存の防水層５０と、を覆うように、貼り付ける。
【００４７】
（防水シート取付補強部品取付工程）
防水シート取付補強部品取付工程では、防水材６３が取り付けられた防水シート取付補強部品６５を、粘着テープ６２の上に設置する。防水シート取付補強部品６５の水平部６５ａと防水材６３が、粘着テープ６２に貼り付けられる。
【００４８】
次いで、締結部品６６を、防水シート取付補強部品６５の水平部６５ａの上方から、ねじ込んで、防水シート取付補強部品６５を、既存の防水層５０と化粧板２５を介して、アーム部材２４に取り付ける。
【００４９】
（新規防水シート取付工程）
新規防水シート取付工程では、新規の防水シート６７を、防水シート取付補強部品６５の水平部６５ａの上面に、溶着によって取り付ける。
【００５０】
新規の防水層６０は、既存の防水層の防水処理工程と、防水シート取付補強部品取付工程と、新規防水シート取付工程とを経て、施工される。
【００５１】
次に、実施例１の防水シート取付補強部品の作用について説明する。実施例１の防水シート取付補強部品６５は、縁部をパラペット３０の天端部Ｂに取り付けた既存の防水シート（第１防水シート５２，第２防水シート５３）に、新規の防水シート６７を重ねて取り付けるために使用される。防水シート取付補強部品６５は、既存の防止シート（第１防水シート５２，第２防水シート５３）の縁部と、新規の防水シート６７と、の間に略水平に配置される水平部６５ａと、水平部６５ａからパラペット３０の外側であって、斜め下方に向けて延在する傾斜部６５ｂと、を備える（図４）。
【００５２】
水平部６５ａを有することで、防水シート取付補強部品６５を既存の防止シート（第１防水シート５２，第２防水シート５３）に取り付けし易くなると共に、新規の防水シート６７を防水シート取付補強部品６５に取り付けし易くなる。そのため、縁部をパラペット３０の天端部Ｂに取り付けた既存の防水シート（第１防水シート５２，第２防水シート５３）に、新規の防水シート６７を、容易に重ねて取り付けることができる。
【００５３】
また、傾斜部６５ｂを有することで、パラペット３０の天端部Ｂの縁部を覆い隠すことができるので、見切縁が不要となり、そのうえ、防水シート取付補強部品６５を意匠部品として機能させることができる。
【００５４】
実施例１では、傾斜部６５ｂの先端に、傾斜部６５ｂの裏面側に折り曲げられた折曲部６５ｃを有する（図５）。これにより、パラペット３０の天端部Ｂの縁部を覆い隠すことができるので、見切縁が不要となり、そのうえ、防水シート取付補強部品６５をよりよい意匠部品として機能させることができる。
【００５５】
実施例１では、折曲部６５ｃは、貫通孔６５ｄを有する（図５）。これにより、折曲部６５ｃに溜まった水を、排出することができる。そのため、メンテナンスをしなくても錆の発生を抑えることができる。
【００５６】
実施例１では、縁部をパラペット３０の天端部Ｂに取り付けた既存の防水シート（第１防水シート５２，第２防水シート５３）に、新規の防水シート６７を重ねて取り付ける防水シート改修構造であって、パラペット３０の天端部Ｂと、防水シート取付補強部品６５と、の隙間を埋める防水材６３を設けた（図４）。
【００５７】
これにより、パラペット３０と防水シート取付補強部品６５との間から水が浸入することを防ぐことができる。そのため、優れた防水性の防水シート改修構造とすることができる。
【００５８】
実施例１では、防水シート取付補強部品６５は、締結部品６６によって、既存の防水シート（第１防水シート５２，第２防水シート５３）を押さえつけるように取り付けられる（図４）。
【００５９】
これにより、既存の防水シート（第１防水シート５２，第２防水シート５３）の端部がめくれないようにすることができる。そのため、耐久性のある防水シート改修構造とすることができる。
【００６０】
実施例１の防水シート改修方法は、縁部をパラペット３０の天端部Ｂに取り付けた既存の防水シート（第１防水シート５２，第２防水シート５３）に、新規の防水シート６７を重ねて取り付ける。この防水シート改修方法は、既存の防水シート（第１防水シート５２，第２防水シート５３）の縁部の上に、防水シート取付補強部品６５を取り付ける防水シート取付補強部品取付工程と、防水シート取付補強部品６５の上に、新規の防水シート６７の縁部を取り付ける新規防水シート取付工程と、を含む（図６）。
【００６１】
これにより、簡易な方法で、縁部をパラペット３０の天端部Ｂに取り付けた既存の防水シート（第１防水シート５２，第２防水シート５３）に、新規の防水シート６７を重ねて取り付けることができる。
【実施例２】
【００６２】
まず、実施例２における防水シート改修構造の構成を説明する。なお、実施例１で説明した内容と同一乃至均等な部分の説明については、同一用語又は同一の符号を用いて説明する。
【００６３】
実施例２の防水シート改修構造は、既存の防水層と防水シート取付補強部品との間に、不陸調整部材を備える点で実施例１の防水シート改修構造と相違する。
【００６４】
［既存の防水層の構成］
図７は、実施例２の既存の防水層１５０の構成を示す構成図である。以下、図７に基づいて、実施例２の既存の防水層１５０の構成を説明する。
【００６５】
既存の防水層１５０は、塩化ビニル鋼板５１の上面に、第１防水シート５２が積層され、塩化ビニル鋼板５１の下面に、粘着テープ５５が貼り付けられて形成される。
【００６６】
［新規の防水層の構成］
図８は、実施例２の新規の防水層１６０の構成を示す構成図である。以下、図８に基づいて、実施例２の新規の防水層１６０の構成を説明する。
【００６７】
新規の防水層１６０は、既存の防水層１５０の不陸部であって、既存の防水層１５０と、粘着テープ６２を介して防水シート取付補強部品６５との間に、不陸調整部材１６８が設けられる。不陸調整部材は、例えば塩化ビニルシートを使用することができる。
【００６８】
［新規の防水層の施工方法］
図９及び図１０は、実施例２の新規の防水層１６０の施工方法を説明する説明図である。以下、図９に基づいて、実施例２の新規の防水層１６０の施工方法を説明する。
【００６９】
（不陸調整工程）
不陸調整工程では、図９に示すように、既存の防水層１５０の第１防水シート５２の縁部に、不陸調整部材１６８を設置する。
【００７０】
（既存の防水層の防水処理工程）
既存の防水層の防水処理工程では、図１０に示すように、既存の防水層１５０の端部にコーキング剤６１を充填する。次いで、粘着テープ６２を、化粧板２５の上面２５ａと、コーキング剤６１と、不陸調整部材１６８と、を覆うように、貼り付ける。
【００７１】
（防水シート取付補強部品取付工程）
防水シート取付補強部品取付工程では、防水材６３が取り付けられた防水シート取付補強部品６５を、粘着テープ６２の上に設置する。防水シート取付補強部品６５の水平部６５ａと防水材６３が、粘着テープ６２に貼り付けられる。
【００７２】
次いで、締結部品６６を、防水シート取付補強部品６５の水平部６５ａの上方から、ねじ込んで、防水シート取付補強部品６５を、既存の防水層５０と化粧板２５を介して、アーム部材２４に取り付ける。
【００７３】
（新規防水シート取付工程）
新規防水シート取付工程では、新規の防水シート６７を、防水シート取付補強部品６５の水平部６５ａの上面に、溶着によって取り付ける。
【００７４】
新規の防水層６０は、不陸調整工程と、既存の防水層の防水処理工程と、防水シート取付補強部品取付工程と、新規防水シート取付工程とを経て、施工される。
【００７５】
次に、実施例２の防水シート取付補強部品の作用について説明する。実施例２では、既存の防水シート（第１防水シート５２）と、防水シート取付補強部品６５との間に、既存の防水シート（第１防水シート５２）の不陸を調整する不陸調整部材１６８を設けた（図８）。
【００７６】
これにより、既存の防水シート（第１防水シート５２）の不陸部を平坦にすることができる。そのため、平坦部分に、防水シート取付補強部品６５を取り付けることができる。その結果、防水シート取付補強部品６５と、既存の防水シート（第１防水シート５２）との隙間を無くし、防水性を向上させることができる。
【００７７】
実施例２の防水シート改修方法は、縁部をパラペット３０の天端部Ｂに取り付けた既存の防水シート（第１防水シート５２，第２防水シート５３）に、新規の防水シート６７を重ねて取り付ける。この防水シート改修方法は、既存の防水シートの縁部の上に、既存の防水シートの不陸を調整する不陸調整部材１６８を取り付ける不陸調整工程と、不陸調整部材１６８の上に、防水シート取付補強部品６５を取り付ける防水シート取付補強部品取付工程と、防水シート取付補強部品６５の上に、新規の防水シート６７の縁部を取り付ける新規防水シート取付工程と、を含む（図１０）。
【００７８】
これにより、簡易な方法で、縁部をパラペット３０の天端部Ｂに取り付けた既存の防水シート（第１防水シート５２，第２防水シート５３）に、新規の防水シート６７を重ねて取り付けることができる。なお、実施例２のこの他の構成及び作用効果については、実施例１と略同様であるため、説明を省略する。
【００７９】
以上、本発明の防水シート取付補強部品、防水シート改修構造及び防水シート改修方法を実施例１及び実施例２に基づき説明してきた。しかし、具体的な構成については、これらの実施例に限られるものではなく、特許請求の範囲の各請求項に係る発明の要旨を逸脱しない限り、各実施例の組み合わせ、設計の変更や追加等は許容される。
【００８０】
実施例１及び実施例２では、防水材６３は、防水シート取付補強部品６５の水平部６５ａに取り付けられる例を示した。しかし、防水材は、防水シート取付補強部品６５の傾斜部６５ｂに取り付けられてもよい。
【００８１】
実施例１及び実施例２では、防水シート取付補強部品６５の折曲部６５ｃは、傾斜部６５ｂから１８０°折り曲げられる例を示した。しかし、防水シート取付補強部品の折曲部は、この態様に限定されず、例えば傾斜部から９０°曲げられてもよい。
【００８２】
実施例２では、塩化ビニル鋼板５１の上面に、第１防水シート５２が積層され、塩化ビニル鋼板５１の下面に、粘着テープ５５が貼り付けられて形成された既存の防水層１５０に、新規の防水層１６０を重ねて取り付ける構成を示した。しかし、図１１に示すように、既存の防水シートとして機能する塩化ビニル鋼板５１の下面に、粘着テープ５５が貼り付けられて形成されさた既存の防水層２５０に対して、新規の防水層を重ねて取り付けてもよい。このように構成された既存の防水層２５０に対して、実施例１の新規の防水層６０又は実施例２の新規の防水層１６０を適用することができる。
【００８３】
本発明の防水シート取付補強部品、防水シート改修構造及び防水シート改修方法を、ユニット建物に適用する例を示した。しかし、本発明は、一般的な鉄骨構造の建物や、在来工法の建物、ツーバイフォー式の建物にも適用可能である。
【符号の説明】
【００８４】
１        ユニット建物
１０      屋根
３０      パラペット
５２      第１防水シート（既存の防水シートの一例）
５３      第２防水シート（既存の防水シートの一例）
６３      防水材
６５      防水シート取付補強部品
６５ａ    水平部
６５ｂ    傾斜部
６５ｃ    折曲部
６５ｄ    貫通孔
６７      新規の防水シート
１６８    不陸調整部材
Ｂ        天端部
【図１】
2019173458.tif 000003
【図２】
2019173458.tif 000004
【図３】
2019173458.tif 000005
【図４】
2019173458.tif 000006
【図５】
2019173458.tif 000007
【図６】
2019173458.tif 000008
【図７】
2019173458.tif 000009
【図８】
2019173458.tif 000010
【図９】
2019173458.tif 000011
【図１０】
2019173458.tif 000012
【図１１】
2019173458.tif 000013